(57)【要約】【課題】植え込み領域の全面にわたって保水性があり、植え込み領域に草木を疎に植え込んでも容易に根絡みするような植生装置を提供する。【解決手段】階段状の断面を有する枠内の底部に複数のビーム材を配置して箱形の区画部を形成し、この箱形の区画内に根張り空間確保部材を配置して土壌が満たされたときに土壌内に植え付けられる草木の根張り空間を確保すると共に、複数のビーム材間に保水材を配置して箱形の区画部の底部を形成し、箱形の区画内に満たされた土壌を保水可能に構成した。【選択図】　図１
2004033105.tif 000002
【特許請求の範囲】
【請求項１】
位置決め孔を有するフレーム材を複数組合せて形成した階段状の断面を有する枠内の底部に複数のビーム材を配置して形成した区画部と、コンクリート打設面に各頭部が配置されると共にそれぞれの軸部が前記複数の位置決め孔における前記区画部の高さを調整するボルトと、コンクリート打設面に固定されてコンクリート打設面上の前記ボルトの各頭部の移動を規制する規制部材と、前記区画部の底部上面に配置されて前記区画内に土壌が満たされたときに該土壌内に植え付けられる植物の根張り空間を確保する根張り空間確保部材と、前記複数のビーム材間に配置されて前記複数のビーム材と共に前記区画部の底部を形成し前記区画部内に満たされた土壌を保水可能に保持する保水材とで構成したことを特徴とする植生装置。
【請求項２】
区画部は、それぞれが４辺を形成し底部に所定幅の棚片を有し２段の階段状の断面を有する四本のフレーム材を組合せて上枠と該上枠より幅狭な下枠が段差を有して２段に形成され、下枠の底部には所定幅の枠状に棚が形成されてなる本体枠と、該下枠の棚に所定間隔で配置されるビーム材とから構成されていることを特徴とする請求項１記載の植生装置。
【請求項３】
保水材は、前記下枠の底部に設けられた棚に配置された各ビーム材間に配置されて前記ビーム材と共に上枠の底部を形成することを特徴とする請求項１記載の植生装置。
【発明の詳細な説明】
【０００１】
【発明の属する技術分野】
本発明は、屋上やベランダなどのコンクリート打設面に芝生等の植物を植え込むための植生装置に関するものである。
【０００２】
【従来の技術】
屋上やベランダなどのコンクリート打設面に芝生等の植物を植え込む植生装置は特開平５−１５３８６５号公報に記載されている。前記従来の植生装置は、図７及び図８に示すように、底板部４から側壁部５を立上げた浅皿状の下枠２と、区画リブ１０で小ブロック１３に区切った上下面が開放する上枠３とを一体となすもので、上枠３は、合成樹脂で一体成型してなる上下面がほゞ開放する部材であって、周縁に立壁部８を有する共に内向きに鍔部９を有し、立壁部８の内側には適宜形状の区画リブ１０が設けてある。そして区画リブ１０として、上枠３の対角線方向に主リブ１０ａを設けると共に、この主リブ１０ａと平行に副リブ１０ｂを設けてある。区画リブ１０と多数の水抜き孔６を開けてなる底板部４との間は、小ブロック１３の下方が互いに連通する根張り空間１４を構成し、屋上面にキャンバー材１８を介して高さ調整可能に敷設した根太材１９上に配置するようにした構成である。
【０００３】
【発明が解決しようとする課題】
前記従来の植生装置では、植え込んだ芝生等の植物Ｌの根が延びて植生装置の下面と屋上面との間に形成される空間Ｒ内で根が互いに絡まり、芝生等の植物が植え込み領域を形成する枠体から脱落しなくなるようにしている。しかしながら、空間Ｒ内は空気にさらされており保水性がなく、植え込んだ芝生等の植物は十分に根を延ばさず空間Ｒ内での根がかりが不充分だと芝生は枯れ易いため、枠体による植え込み領域の全面にわたって芝生等の植物を密集して植え込むことで空間Ｒ内で根絡みするようにしているが、植え込み領域の全面にわたって芝生等の植物を密集して植え込むことは手間がかかるため改善が望まれていた。
【０００４】
本発明は上記に鑑み提案されたもので、植え込み領域の全面にわたって保水性があり、植え込み領域に植物を疎に植え込んでも容易に根絡みするような植生装置を提供することを目的とする。
【０００５】
【課題を解決するための手段】
請求項１記載の発明は、位置決め孔を有するフレーム材を複数組合せて形成した階段状の断面を有する枠内の底部に複数のビーム材を配置して形成した区画部と、コンクリート打設面に各頭部が配置されると共にそれぞれの軸部が前記複数の位置決め孔における前記区画部の高さを調整するボルトと、コンクリート打設面に固定されてコンクリート打設面上の前記ボルトの各頭部の移動を規制する規制部材と、前記区画部の底部上面に配置されて前記区画内に土壌が満たされたときに該土壌内に植え付けられる植物の根張り空間を確保する根張り空間確保部材と、前記複数のビーム材間に配置されて前記複数のビーム材と共に前記区画部の底部を形成し前記区画部内に満たされた土壌を保水可能に保持する保水材とで構成したことを特徴とする植生装置である。
【０００６】
請求項２記載の発明は、請求項１に記載した植生装置において、区画部は、それぞれが４辺を形成し底部に所定幅の棚片を有し２段の階段状の断面を有する四本のフレーム材を組合せて上枠と該上枠より幅狭な下枠が段差を有して２段に形成され、下枠の底部には所定幅に枠状の棚が形成されてなる本体枠と、該下枠の棚に所定間隔で配置されるビーム材とから構成するようにしたものである。
【０００７】
請求項３記載の発明は、請求項１に記載した植生装置において、保水材は、前記下枠の底部に設けられた棚に配置された各ビーム材間に配置されて前記ビーム材と共に上枠の底部を形成するようにしたものである。
【０００８】
【発明の実施の形態】
以下、実施の形態を示す図面に基づいて本発明を詳細に説明する。図１は本発明に係る植生装置を複数集合して屋上に配設した状態を示す平面図であり、図２は図１のＡ−Ａ線での断面図、図３は図１に示される区画部の要部の分解斜視図、図４は本発明に係る植生装置に使用される根張り空間確保部材の斜視図、図５は図１の植生装置での使用例と異なる規制部材の要部の断面図、図６は図１に示される区画部の角部の連結状態を説明するための分解斜視図である。
【０００９】
図１乃至図６に示すように、上面から見ると４本のフレーム材４１，４１，・・は両端の角部が略４５度の台形状であり２段の階段状の断面を有し、底部に所定幅の棚片４１ｃを有している。４本のフレーム材４１，４１，・・には、それぞれ２つの位置決め孔４１ａ，４１ｂが設けられており、４本のフレーム材４１，４１，・・の各角部の斜めの端面同志が接合するように組合されて四角い本体枠４２が形成されている。本体枠４２は、大きい上枠４２ａと小さい下枠４２ｂが段差を有して２段に形成されており、小さい内枠４２ｂの底部には所定幅に枠状の棚４２ｃが形成されている。
【００１０】
下枠４２ｂの底部に形成された枠状の棚４２ｃ上には断面がＨ形の２本のビーム材４４，４４が所定間隔で配置されて下枠４２ｂ内の底部が２本のビーム材４４，４４で形成されている。これら本体枠４２及び２本のビーム材４４，４４により１つの植生装置の区画部４５が形成されている。４本のフレーム材４１，４１，・・の各上枠側の側壁２２ａの裏面には、所定幅に対向してガイドレール４６ａ，４６ｂが設けられ、また、各下枠側の側壁２２ｂの裏面には、所定幅に対向してガイドレール４６ｃ，４６ｄが設けられている。そして、ガイドレール４６ａ，４６ｂ間にＬ字金具４７ａを挿入して、Ｌ字金具４７ａと上枠側の側壁２２ａをネジ４８ａで固定し、また、ガイドレール４６ｃ，４６ｄにＬ字金具４７ｂを挿入して、Ｌ字金具４７ｂと下枠側の側壁２２ｂをネジ４８ｂで固定して、４本のフレーム材４１，４１，・・の端部同志を連結して略直角な角部を構成している。
【００１１】
また、各下枠側の上壁２２ｃの裏面には、下枠側の側壁２２ｂを底面としてガイドレール４６ｃの外面とで溝部を形成してなるガイドレール４６ｅが形成されており、また、各下枠側の上壁２２ｃの裏面には、このガイドレール４６ｅとは所定幅に対向して４６ｆが設けられている。ガイドレール４６ｅ，４６ｆ間にアジャストボルト２０と螺合する平板ナット４９ａ，４９ｂを挿入しておく。
【００１２】
コンクリート打設面Ｇには、植生装置の区画部４５が配置される位置の規制部材として、両端で略垂直にコ字状に折れ曲がり一定高さのところで外側に水平に折り返して、各先端から一定幅に規制用のガイドレール２１ａが形成された断面ハット状のレール材２１がアンカーボルト２５で固定されている。レール材２１では、幅方向の両側に沿って一定高さのところで外側に一定幅で水平に規制用のガイドレール２１ａが形成されているので、コンクリート打設面Ｇとレール材２１の規制用のガイドレール２１ａ間に２本のアジャストボルト２０，２０の各頭部２０ａ，２０ａを配置し、フレーム材４１，４１，・・の各下枠側のそれぞれの上壁２２ｃの裏面に設けた各ガイドレール４６ｅ，４６ｆ間に挿入したそれぞれの平板ナット４９ａ，４９ｂのネジ穴に２本のアジャストボルト２０，２０の各胴体２０ｂ，２０ｂを螺合して区画部４５のフレーム材４１，４１，・・のそれぞれの２つの位置決め孔４１ａ，４１ｂにおける高さを調整して区画部４５の各辺のフレーム材４１，４１，・・の高さを調整して区画部４５を水平に設置する。
【００１３】
この場合、２本のアジャストボルト２０，２０の各頭部２０ａ，２０ａをレール材２１のガイドレール２１ａに当接させて２本のアジャストボルト２０，２０の回転が防止されるようにする。レール材２１の例では付属の２つのガイドレール２１ａがレール材２１の外側へ背中合わせで突出する構成であるが、図５に示すレール材２６のように付属の２つのガイドレール２６ａが向かい合って内側に突出する構成であってもよい。
【００１４】
この区画部４５の底部のビーム材４４，４４間には保水材５０（フェノール製保水材）が使用される。冬期、氷点下となる地域において、フェノール製保水材を使用した場合、材料特性上（やや脆性）、水分の凍結による体積膨張によって、ひひ割れ、崩壊する可能性がある。そこで、氷点下となる地域では、例えば、上層に、連続発泡のポリエチレン製保水材を配置する（保水性：有り、剛性：小さい、厚：２ｃｍ）。そして、下層に粒状のポリスチレン製保水材を配置する（透水性：有り、剛性：大きい、厚：２ｃｍ）。この様に、材料特性の異なる保水材を、積み重ねても良い。ポリエチレン製保水材、ポリスチレン製保水材は、共に、水分の凍結による体積膨張は、材料自体の弾性によって吸収される。
【００１５】
区画部４５の底部のビーム材４４，４４間に使用される複数の保水材５０，５０，・・は、ビーム材４４，４４のＨ形断面による溝の間に嵌挿して配置されて複数のビーム材４４，４４と共に区画部４５の底部を形成する。
【００１６】
そして、区画部４５の底部の上面には植物の根張り空間を確保する根張り空間確保用のシート材３０を載置する。シート材３０の各端縁には区画部４５の底部の各辺に沿って突出する２本のアジャストボルト２０，２０の各胴体２０ｂ，２０ｂの側面に嵌挿するための半円形の切欠き３０ａ，３０ａが設けられている。また、シート材３０は行方向と列方向に所定間隔に断面が放物面状の突出部３１を複数設けてある。各突出部３１の上部には円形の開口３２が形成され、また、テーパ状の側面には楕円形の開口３３が所定角度間隔で設けられている。そして各突出部３１，３１，…で囲まれる各スペースにはそれぞれ円形の孔３０ｂ，３０ｂ，・・が設けられて、各突出部３１の内部が植物の根張り空間３５として機能する。
【００１７】
こうして区画部４５は、複数のビーム材４４，４４と共に保水材５０，５０，・・が区画部４５の底部を形成し、区画部４５の底部の上面には根張り空間確保部材としてのシート材３０を載置しておき、この状態で区画部４５内に土壌Ｓを満たして、植物Ｐを植え込む。
【００１８】
区画部４５内では、保水材５０，５０，・・が区画部４５の底部を形成して、区画部４５内に満たされた土壌Ｓは水はけがよく保水性に優れているので土壌内に植え付けられる植物は根を良く延ばす。また、区画部４５の底部の上面には根張り空間確保用のシート材３０を載置して行方向と列方向に所定間隔に断面が放物面状の突出部３１を複数設けて、各突出部３１の内部を植物の根張り空間３５として確保している。したがって、土壌内に植え付けられる植物は多少離れた位置であっても、シート材３０に設けた複数の突出部３１に対して周りから根を良く延ばし、テーパ状の側面に設けた楕円形の開口３３から突出部３１内に入り込んで根絡みする。
【００１９】
コンクリート打設面Ｇに設置される植生装置の内部構造が周面に剥き出しにならないように、園芸領域を囲んで化粧枠５５が設置される。この化粧枠５５が設置できるように、屋上やベランダなどのコンクリート打設面Ｇには、両端で略垂直にコ字状に折れ曲がり一定高さのところで外側に突出する係合部５１ａ，５１ｂが形成されたガイドレール５１をコンクリート打設面Ｇにアンカーボルト５２で固定して化粧枠５５を設置できるようにしておく。そして、化粧枠５５が設置される前に、化粧枠５５の枠内に配設しようとする区画部４５，４５，・・の数量に合わせて複数のレール材２１，２１，・・をアンカーボルト２２，２２，・・で固定しておく。そして、前記した植生装置の区画部４５，４５，・・を適宜の間隔で位置合わせしながら複数配設して、植生装置は区画部４５，４５，・・の集合体として設置する。そして、底面に所定幅の開口５３が設けられ、断面が台形線状の化粧枠５５の開口５３の両側縁の係合部５４ａ，５４ｂをガイドレール５１の係合部５１ａ，５１ｂに嵌め込んで、区画部４５，４５，・・の集合体の周囲を囲んで化粧枠５５を固定する。
【００２０】
以上、本発明を図面の実施例について説明したが、本発明は上記した実施例に限定されるものではなく、特許請求の範囲に記載した構成を変更しない限り適宜に実施できる。例えば、実施例では芝生について説明したが、芝生に限ることなく、他の草花、或は低い樹木などの植物に適用することもできる。また、上記のようなシート材は、植物が成長して根絡みが完了したものを造園業者等が供給し、施工現場では単に配設するだけでもよいし、施工現場において枠体を配設すると共に、未成熟な植物を植え、現場において植物の成長を待ち、根を絡ませるようにしてもよい。
【００２１】
【発明の効果】
以上要するに本発明は、位置決め孔を有するフレーム材を複数組合せて形成した階段状の断面を有する枠内の底部に複数のビーム材を配置して形成した区画部と、コンクリート打設面に各頭部が配置されると共にそれぞれの軸部が前記複数の位置決め孔における前記区画部の高さを調整するボルトと、コンクリート打設面に固定されてコンクリート打設面上の前記ボルトの各頭部の移動を規制する規制部材と、前記区画部の底部上面に配置されて前記区画内に土壌が満たされたときに該土壌内に植え付けられる植物の根張り空間を確保する根張り空間確保部材と、前記複数のビーム材間に配置されて前記複数のビーム材と共に前記区画部の底部を形成し前記区画部内に満たされた土壌を保水可能に保持する保水材とで構成したので、底部の全面が保水材により板状の面となり、剛性、排水性、通気性に優れ、保水性がよく水はけもよいため根の延びが良い。
【００２２】
そして、植え込み領域の土壌内に植物を疎に植え込んでも、植え付けられる植物は多少離れた位置であっても、根張り空間に対して周りから根を良く延ばし、根張り空間内に入り込んだ根は根絡みし易く、したがって、植え込み領域の全面にわたって植物を密集して植え込む必要はなくなる等優れた効果を奏する。
【図面の簡単な説明】
【図１】本発明に係る植生装置を複数集合して屋上に配設した状態を示す平面図である。
【図２】図１のＡ−Ａ線での断面図である。
【図３】図１に示される区画部の要部の分解斜視図である。
【図４】本発明に係る植生装置に使用される根張り空間確保部材の斜視図である。
【図５】図１の植生装置での使用例と異なる規制部材の要部の断面図である。
【図６】図１に示される区画部の角部の連結状態を説明するための分解斜視図である。
【図７】従来の植生装置を示す断面図である。
【図８】図７の従来の植生装置において一部の芝生を剥した平面図である。
【符号の説明】
２　下枠
３　上枠
４　底板部
５　側壁部
６　水抜き孔
１０　区画リブ
１３　小ブロック
１４　根張り空間
１８　キャンバー材
１９　根太材
２０　アジャストボルト
２０ａ　アジャストボルトの頭部
２０ｂ　アジャストボルトの胴体
２１　レール材
２１ａ　規制用のガイドレール
２２ａ，２２ｂ　側壁
２２ｃ　上壁
２５，５２　アンカーボルト
３０　シート材
３０ａ　半円形の切欠き
３０ｂ　円形の孔
３１　突出部
３２　円形の開口
３３　楕円形の開口
３５　根張り空間
４１　フレーム材
４１ａ，４１ｂ　位置決め孔
４１ｃ　棚片
４２　本体枠
４２ａ　上枠
４２ｂ　下枠
４２ｃ　棚
４４　ビーム材
４５　植生装置の区画部
４６ａ，４６ｂ，４６ｃ，４６ｄ，４６ｅ，４６ｆ　ガイドレール
４７ａ，４７ｂ　Ｌ字金具
４８ａ，４８ｂ　ネジ
４９ａ，４９ｂ　平板ナット
５０　保水材
５１　ガイドレール
５１ａ，５１ｂ　ガイドレール５１の係合部
５３　開口
５４ａ，５４ｂ　化粧枠５５の係合部
５５　化粧枠
Ｇ　コンクリート打設面
Ｌ　植物
Ｐ　植物
Ｓ　土壌
【図１】
2004033105.tif 000003
【図２】
2004033105.tif 000004
【図３】
2004033105.tif 000005
【図４】
2004033105.tif 000006
【図５】
2004033105.tif 000007
【図６】
2004033105.tif 000008
【図７】
2004033105.tif 000009
【図８】
2004033105.tif 000010